(57)【要約】      （修正有）【課題】カレンダーの台紙に切り割を設け、表面には絵、写真を表し裏にハガキの書式を表し、その月を過ぎたらハガキとして使用するカレンダーを提供する。【解決手段】カレンダーの表紙と2ヶ月づつ１月から１２月までのカレンダーを６枚印刷し、又は毎月ごとにカレンダーの表紙と１月から１２月までのカレンダーを１２枚印刷して各１組とし、上部にリングを通す左右６個づつ孔を設け、各組の絵及び写真のＬ型を横向き３又は縦向き７に、挟み込むことを目的とする切り込み４、５又は８、９を上部右側に、下部左側に夫々４５度斜めに各２本づつ設けてカレンダーの台紙１を作り、絵２又は写真「Ｌ型」６を挟み込み、リングと吊り棒をつけて、カレンダーを作成し、その月が経過した後、絵２又は写真６の余白を利用して記事を書き、裏のハガキを利用して便りを出し、Ｌ型写真６は、元のアルバルに戻して使用することを特徴とする。【選択図】図１
0003167468.tif 000002
【実用新案登録請求の範囲】
【請求項１】
カレンダーの表紙２７と2ヶ月づつ１月から１２月までのカレンダーを６枚印刷して１組とし、又は毎月ごとにカレンダーの表紙と１月から１２月までのカレンダーを１２枚印刷して１組とすることで、上部にリングを通す左右６個づつ孔を設け、絵の及び写真のＬ型を横向き３又は縦向き７に、挟み込むことを目的とする切り込み４、５又は８、９を上部右側に、下部左側に夫々４５度斜めに各２本づつ設けて、カレンダーの台紙１を作り、そして、絵２又は写真「Ｌ型」６を挟み込み、リング１１と吊り棒３０をつけて、カレンダーを作成し、その月が経過した後、絵２又は写真６の余白を利用して記事を書き、裏の（公序良俗違反につき、不掲載）２３を利用して便りを出し、Ｌ型写真６は、元のアルバルに戻して使用することを特徴とするカレンダーの絵２又は写真６。
【請求項２】
オリジナルカレンダーキットは、カレンダー表紙２７と２ヶ月づつ１月から１２月までのカレンダーを印刷して６枚の台紙1を計７枚の台紙を１組とし、又はカレンダー表紙２７と毎月ごとにカレンダーの表紙と１月から１２月までのカレンダーを印刷して１２枚の台紙１を計１３枚の台紙を１組として用意し、各組毎に、カレンダーの印刷してある台紙1を7枚又は１３枚は、絵2及び写真6のＬ型を横向き３又は縦向き７に、挟み込むことを目的とする切り込み４、５又は８、９を上部右側に、下部左側に夫々４５度斜めに各２本づつに設け、更に上部中央に半径１ｃｍの半円形１０を打ち抜き、その左右にリング１１を挿入できるように左右に６個づつの長方形の孔１２をも受けて成る台紙１を用意し、プラチック製品のリング１１と吊し棒３０とを１組のキットとすることを特徴とする請求項１記載のカレンダーの台紙1。
【考案の詳細な説明】
【技術分野】
【０００１】
本考案は、絵挟み込み式２本切り込み入り型カレンダーに関するものである。
【背景技術】
【０００２】  絵挟み込み式２本切り込み入り型カレンダーの挟み込み絵は、表側は絵であって、裏側は、「ハガキ」であり、その月が終わったら「（公序良俗違反につき、不掲載）」として使用するこができるものであって、表側の絵の余白部分に思い思いの記事を書き入れることができものあり、その裏側にも表側の記事の続きを書き入れることができものであって、写真の裏側に「（公序良俗違反につき、不掲載）」として印刷がなされ（公序良俗違反につき、不掲載）として使用するこができるものであって、実用に利用されている。【０００３】
小型の絵と写真は、写真のＬ型の大きさであって、写真の写し出された、薔薇シリーズであったり、菊の花シリーズであったりするので、その住んでいる町の「蔵町シリーズ」、「小江戸シリーズ」、多くのシリーズが生まれ実用に供される。
【０００４】
このように使用されると各企業でそれぞれの企業間に自己の企業製品の販売
合戦が始まり、カレンダーの絵の部分に自己の製品が掲載されようになり、自動車企業なら自己の企業の自動車シリーズに、食品企業なら自己の企業の料理シリーズに、自己の製品の宣伝がカレンダーを通じて行われるようになって来た。
【０００５】
しかし、一般に用いられているカレンダーは、毎日めくる日めくりカレンダーであったりして、２ヶ月一枚の６枚つづりであったり、折角６枚つづりのカレンダーに絵が描かれているが、何の利用も無くその月がすぎれば廃棄されて不便である。
【０００６】この改善策として、Ａ4版で絵は（公序良俗違反につき、不掲載）大であり、表は絵及び写真であるが、裏には（公序良俗違反につき、不掲載）として使用さられるよう印刷がしてある。その月が過ぎれば、この絵及び写真は、（公序良俗違反につき、不掲載）として使用される便利なものである。
【先行技術文献】
【特許文献】
【０００７】
月代わりカレンダーにおいて、毎日の日付の剥ぎ取りに従って、例えば外国
語、記号、単語等の事物を容易に習得することを目的とするものである。
月を特定する表示および、各日付を特定する数字表示を設けた月代わりカレンダーを台紙とし、前記台紙上の各日付表示に接近して、ラベルを、シリコンの如き接着剤層を介して、剥離自在に接着する。しかして、前記各ラベルの表面には習得すべき事物を画像、記号ないし単語を以って表示しておく、前記ラベルが接着される台紙部分に、前記画像、記号、単語に対応する事物を文字・文書を以って印刷して成るものである。
カレンダーの日付ラベルは毎日取り去るものであるが、この剥ぎ取りに応じて台紙上の表示が現れて、ラベル上の表示に対する事物の判断を容易にして、これを記憶習得を日々行うことにより学習効果がえられる。  
【特許文献１】実開平５−７６７７０号公報
【０００８】
写真付きカレンダーと写真額の機能を一体化し、カレンダーの使用期間が過ぎても、写真額として使用できるようにし、最初から全ての開口に写真プリントを対応させなくとも、写真額全体のバランスがとれ、装飾性を損なわないようなカレンダー付き写真額を提供する。
【０００９】
カレンダー付き写真額２は左側がカレンダー台紙３、右側がメモ台紙４となっており、カレンダー台紙３にはカレンダーが１年間分印刷され、各月毎のカレンダーは切り抜けるようになっている。カレンダーが印刷された面の反対側には、写真プリントを挿入するためのポケット８が形成され、カレンダーの切り抜き後、ここに写真プリント挿入すると、写真プリントが写真額に飾ったように観察できる。そしてメモ台紙４には、各月毎のカレンダーに対応した位置に、メモ領域１１が設けられている。
【特許文献２】特開平７−５２５８４号公報
【００１０】
任意の複数月の月めくりカレンダーで、且つ連続して昇順する複数月カレンダーが、月が替わる度に、一連の複数月の各月カレンダーが、夫々、１ケ月更新される状態で一覧出来、掲示面に、タテ、ヨコ、斜め等、いづれの方向にも自由に展開出来る多様なカレンダーを提供できる。
【００１１】
両脇上部に穴をあけたカレンダー用紙一式（１２ケ月分)と、該当カレンダー用紙と大略同一サイズの台紙でカレンダー用紙が掛かるようにフックを取付けた台紙・複数枚とを組合せることを特徴とする。
【特許文献３】特開２０００−３３７８４号公報
【００１２】
カレンダー上に記入した前月分の予定や行事を写し替えないで使用できるカレンダー。３ヶ月分掲示したカレンダーであって、各月間に折り線を設け、月が過ぎたときに３ヶ月目のカレンダーを表面の上段に残して繰り上げ表面に残すため、前月に記入した予定や行事を写し替える手間が省け、便利に使用できる。
【特許文献４】実用新案登録第３０９０１９２号公報
【００１３】
簡素な構成にしたがって、誕生日や年間スケジュールや各種の記念日など
の個人情報が印刷されたカレンダーを作成することのできるカレンダーキット。所定期間に亘るカレンダーの基本情報が記録された記録媒体（１）と、記録媒体に記録された基本情報と入力された個人情報とを印刷するためのカレンダーシート（２）とを備えている。カレンダーシートには、所定の事前印刷（2ａ）がなされている。たとえば壁掛け型のカレンダーを構成するために、印刷された複数のカレンダーシートの一端を束ねて壁に掛けるための壁掛け具（3）をさらに備えている。
【特許文献５】特開２００３−２８５５７２号公報
【考案の概要】
【考案が解決しようとする課題】
【００１４】
解決しようとする問題点は、カレンダー台紙に絵又は写真を挟み込む部分の２本切り込みを設ける点であるが、この部分にポイント付けるためにカラーを入れ季節感を表現した。
【課題を解決するための手段】
【００１５】  カレンダーの表紙と2ヶ月づつ１月から１２月までのカレンダーを６枚印刷して１組とし、又は毎月ごとにカレンダーの表紙と１月から１２月までのカレンダーを１２枚印刷して１組とすることで、上部にリングを通す左右６個づつ孔を設け、絵の及び写真のＬ型を横向き又は縦向きに、挟み込むことを目的とする切り込み又は上部右側に、下部左側に夫々４５度斜めに各２本づつ設けて、カレンダーの台紙を作り、絵又は写真「Ｌ型」を挟み込み、リングと吊り棒をつけて、カレンダーを作成し、その月が経過した後、絵又は写真の余白を利用して記事を書き、裏の（公序良俗違反につき、不掲載）を利用して便りを出し、Ｌ型写真は、元のアルバルに戻して使用することを特徴とするカレンダーの絵又は写真。【００１６】
オリジナルカレンダーキットは、カレンダー表紙と２ヶ月づつ１月から１２月までのカレンダーを印刷して６枚の台紙1を計７枚の台紙を１組とし、又はカレンダー表紙と毎月ごとにカレンダーの表紙と１月から１２月までのカレンダーを印刷して１２枚の台紙１を計１３枚の台紙を１組として用意し、各組毎に、カレンダーの印刷してある台紙を7枚又は１３枚は、絵及び写真のＬ型を横向き又は縦向きに、挟み込むことを目的とする切り込み又は上部右側に、下部左側に夫々４５度斜めに各２本づつに設け、更に上部中央に半径１ｃｍの半円形を打ち抜き、その左右にリングを挿入できるように左右に６個づつの長方形の孔をも受けて成る台紙を用意し、プラチック製品のリングと吊し棒とを１組のキットとすることを特徴とするカレンダーの台紙。
【考案の効果】
【００１７】
本考案のカレンダーは、絵又は写真を挟み込む切り込みを設けたことにより、その月が経過した後に絵又は写真を取り外して、絵ハガキ又は趣味の写真として使用するこという利点がある。
【図面の簡単な説明】
【００１８】
【図１】図１のカレンダーの絵が横型で挟み込む場合であって、大きい方は「ハガキ」大であり、小さい方が写真のＬ型であって、実施方法を示した説明図である。
【図２】図2は表側であって、絵の大きい方は「ハガキ」大である。
【図３】図３は裏側であって、「ハガキ」と絵の説明の印刷がなされている。
【図４】図４は写真であって、キュウイフルーツ栽培の横型写真である。
【図５】図５は、カレンダーの絵が縦型で挟み込む場合であって、大きい方は、「ハガキ」大であり、小さい方が写真のＬ型であって、実施方法を示した説明図である。
【図６】は、カレンダーの絵が縦型で挟み込む場合であって、大きい方は、「ハガキ」大であり、小さい方が写真のＬ型であって、実施方法を示した説明図である。
【図７】は、図6の裏側であって、その月が終わったら「（公序良俗違反につき、不掲載）」として使用するものである。
【図８】は、キュウイフルーツ栽培の縦型写真である。
【図９】は、オリジナルカレンダーキットの作成方法の説明についてである。
【図１０】は、オリジナルカレンダーキットの作成するに付いての部品の説明である。
【考案を実施するための形態】
【００１９】
カレンダーの表紙と２ヶ月づつ１月から１２月までの６枚の印刷を１組とし、上部にリングを通す左右６個の孔をあけるのと同時に絵の及びＬ版の挟み込む切り込みを上右、下左、に各２本づつ設け、次に、絵又は写真「Ｌ型」を挟み込み、リングと吊り下げ具をつけて、カレンダーを作成する。
【実施例１】
【００２０】
図１は、本考案の構成であるその実施例1は、Ａ４縦型のカレンダー台紙1であって、絵2の「ハガキ」大の大きさのものを横に挟み込むタイプ3であり、上から６．５ｃｍと上から１６．５の所に線を引き、左右末端から３．１ｃｍ内の長方形の上右隅から・下左隅から横・縦１．５ｃｍ・２．０ｃｍの所から４５度の斜線を引き、そこの所に２本の切り込み線４、５を入れて、絵2を挟み込み、趣味のカレンダーとすることができる。
【００２１】
また、写真6のＬ型を横に挟み込むタイプ７であり、上から７．０ｃｍと上から１６．５の所に線を引き、左右末端から４．２ｃｍ内の長方形の上右隅から・下左隅から横・縦１．５ｃｍ・２．０ｃｍの所から４５度の斜線を引き、そこの所に２本の切り込み線８、９を入れて、写真6を挟み込み、趣味のカレンダーとすることができる。
【００２２】
カレンダー台紙1の上端中央に半円１０を抜き、その半円１０中央部左右にリング１１を差し込む６つの長方形の孔１２を設け、１枚に２ヶ月分掲載の分は１年間で６枚綴りとなり、１枚に各月毎の分掲載の分は１年間で12枚綴りとなるものである。
【００２３】
最上段の点線で囲まれた長方形内には、絵のタイトル１３を書き、中間の点線で囲まれた長方形内には絵の場所と説明書１４き、最下段の点線で囲まれた長方形内には、通常は、カレンダーの提供する会社名１５等を書くか、商品の宣伝文句を掲載するものである。
【００２４】
２ヶ月１枚の掲載ものについては各月の最上段真ん中にその月を数字１６で表す、左側にその西暦１７、月の右側にその月を英語１８で表す。その下の最上段は曜日１９を表示し、日曜日２０と祭日は赤色で表示し、土曜日２１は青で表示し、各平日２２は黒で表示する。
【００２５】図２の絵２の建物は、もと『八百金』の名で知られた荒物・麻芋問屋田村家の店舗≪明治３７年（１９０４年）上棟≫住居（母屋）、付属屋、土蔵群でした。図2の裏は図３で、「（公序良俗違反につき、不掲載）」２３となり、表の絵に関するものであり、表の絵は、蔵の街シリーズであるがこの他のシリーズは、小江戸シリーズ、さくらの木シリーズ、柿の実の景色シリーズ等数多くである。【００２６】図３は、その月が経過した後不要となり、普通は、廃棄されるものである。図２の裏が「（公序良俗違反につき、不掲載）」２３となり、表の余白の部分に記事を書いて相手に出すという使用方法があり便利で、相手も喜ぶし、自分も満足である。【００２７】図４は、写真でキュウイフルーツ栽培の横型写真であり、Ｌ型で図2の絵よりも小さくて横７に挟み込むがその裏が白紙であり、「（公序良俗違反につき、不掲載）」２３として使用できない。表の写真は、キュウイフルーツ栽培シリーズ、子供の街で遊ぶシリーズ、こまシリーズ、温泉の景色シリーズ、さくらの木の景色シリーズ、孫シリーズとして楽しむことができる。【００２８】
図５は、本考案の構成であるその実施例2は、Ａ４縦型のカレンダー台紙1であって、絵２を挟み込むものであり、上から５．0ｃｍと上から１9．８の所に線を引き、左右末端から5．5ｃｍ、右末端から５．４ｃｍ内の長方形の上右隅から・下左隅から横・縦１．５ｃｍ・２．０ｃｍの所から４５度の斜線を引き、そこの所に２本の切り込み線８、９を入れて、絵２を挟み込み、趣味のカレンダーとすることができる。
【００２９】図6の表の絵２は、とちぎ秋まつり山車に静御前（倭町）江戸・明治時代に作られた山車が華やかに市内を練り歩く「とちぎ秋つまり」（１１月中旬）絵で、縦に差し込むタイプ２４大きさは大きく裏が「（公序良俗違反につき、不掲載）」２３となり、表の縦絵２５に関するものであり、表の絵２は、とちぎ秋まつりシリーズであるが、この他に、蔵の街シリーズ、小江戸シリーズ、さくらの木シリーズ、柿の実の景色シリーズで多くある。【００３０】図7の図は、図6の絵２５の裏側の図でその月が経過した後不要となり、普通は、廃棄されるものである。その裏が「（公序良俗違反につき、不掲載）」２３となり、表の余白の部分に記事を書いて相手に出すという使用方法があり便利で、相手も喜ぶし、自分も満足するものである。【００３１】図8の写真６は、キュウイフルーツ栽培の縦型写真であり、Ｌ型で写真６で絵よりも小さくて縦に挟み込むタイプ２５で、その裏が白紙であり、「（公序良俗違反につき、不掲載）」２３として使用できない。表の写真6は、キュウイフルーツ栽培シリーズ、子供の街で遊ぶシリーズ、こまシリーズ、温泉の景色シリーズ、さくらの木の景色シリーズ、孫シリーズとして楽しむことができる。【００３２】
図9は、オリジナルカレンダーキット２６の作り方である。ポストカードサイズのあなたの作品が自分でカレンダーを作れるということである。
オリジナルカレンダーキットの作り方は、まず、カレンダー表紙２７、２ヶ月毎の６枚の台紙1、計７枚の台紙を用意し、カレンダーの印刷してある台紙1を６枚は、絵及び写真を挟み込むよう切り込みを設け、更に上部中央に半径１ｃｍの半円形を打ち抜き、その左右にリングを挿入できるように左右に６個づつの孔をも受けて成る台紙を用意し、プラチック製品のリング１１と吊し棒３０とを１組として販売することかできるものである。
【００３３】
この製品を１組買ったら、カレンダーの台紙1は、自分のＡ４版あるのでパソコンおもって、表紙２７及び絵2・写真6のタイトルなどを印刷器で作成可能なものである。絵2にするか、写真6にするかを選び絵２及び写真タイトル１３を考えて印刷機で印刷して表紙を作り、タイトルに合わせて、例えば、絵2の場合であったら６枚を作り、写真６の場合であったら６枚を写し作る。
【００３４】
このようにして作品ができたら、カレンダー台紙1に作品を挟み込んで表紙２７と１月から12月まで揃えて左側の孔１２にリング１１を通し、リング１１を止めて下さい。そうしてリング１１を左側に吊し棒３０を通して右側の孔にリングを通し吊し棒３０と一緒にリング１１を止めて下さい。これでオリジナルカレンダーの完成です。
【００３５】
図１０は、本案のカレンダーのリング１１の（イ）は正面図であり、（ロ）は平面図であって、（ハ）の点線は、リング１１を真ん中から折り曲げて、リングのストッパー２８を挿入孔２９に入れて止めた状態であり、（ニ）吊し棒３０の正面図である。
【００３６】このようにカレンダーとして飾って置くだけでなく、絵（公序良俗違反につき、不掲載）や写真などをポストカードとして実用的に利用できる「ポストカード付カレンダー」の商品企画をした。【００３７】
このカレンダーは、カレンダー台紙に切り込みを入れて、横向き又は縦向きにポストカードを挟み込むことができる商品で、個人向けにはキット販売も可能で、企業向けには企業名を入れたりし、オリジナルポストカードを入れＰＲをすることができるカレンダーです。
【産業上の利用可能性】
【００３８】  本案のカレンダーは、どこにも飾れるに、コンパクトなＡ４サイズで仕上げ、月が終わったら（公序良俗違反につき、不掲載）として利用し、製本や吊り下げ部に針金のコイルが多く使われているが当製品は生分解樹脂（グリーンプラマーク認定商品）を使用し商品の安全性をはかったものである。
【符号の説明】
【００３９】  １    カレンダー台紙  ２    絵  ３    絵を横に差し込むタイプ  ４、５    切り込み線  ６  写真７  Ｌ型を横に差し込むタイプ８、９  Ｌ型の切り込み線１０  半円１１  リング１２  長方形の孔１３  絵のタイトル１４  絵の場所と説明書１５  会社名１６  月を数字１７  西暦１８  月を英語１９  曜日２０  日曜日２１  土曜日２２  平日２３  （公序良俗違反につき、不掲載）２４  縦に挟み込むタイプ２５  Ｌ型を縦に挟み込むタイプ２６  オリジナルカレンダーキット２７  カレンダー表紙２８  ストッパー２９  挿入孔３０  吊し棒                            
【図１】
0003167468.tif 000003
【図２】
0003167468.tif 000004
【図３】
0003167468.tif 000005
【図４】
0003167468.tif 000006
【図５】
0003167468.tif 000007
【図６】
0003167468.tif 000008
【図７】
0003167468.tif 000009
【図８】
0003167468.tif 000010
【図９】
0003167468.tif 000011
【図１０】
0003167468.tif 000012
【手続補正書】
【提出日】平成23年3月1日(2011.3.1)
【手続補正１】
【補正対象書類名】実用新案登録請求の範囲
【補正対象項目名】全文
【補正方法】変更
【補正の内容】
【実用新案登録請求の範囲】
【請求項１】
カレンダーの表紙２７と2ヶ月ずつ１月から１２月までのカレンダー台紙1を６枚印刷して計７枚の１組とし、又はカレンダーの表紙２７と毎月ごとに１月から１２月までのカレンダー台紙1を１２枚印刷して計１３枚の１組とし、上記表紙及び台紙の上部にリング１１を通す左右６個ずつ長方形の孔１２を設け、更に上部中央に半径１ｃｍの半円形１０を打ち抜き、その左右にリング１１と吊り棒３０を設けて、カレンダー台紙1には、上部右側と、下部左側に夫々４５度斜めに２本ずつ切り込み線４、５を設けてハガキ型２３各組の絵２又は写真６を横向き7に挿入可能にし、その内側にＬ型写真６を横向き７に挟み込むことを目的とする２本ずつ切り込み線８、９を設け、又は、上部右側と、下部左側に夫々４５度斜めに２本ずつ切り込み線４、５を設けてハガキ型２３各組の絵２又は写真６を縦向き２５に挿入可能にし、その内側にＬ型写真６を縦向き２５に挟み込むことを目的とする２本ずつ切り込み線８、９を設けことを特徴とするカレンダー。
【請求項２】
オリジナルカレンダーキットは、カレンダーの表紙２７と２ヶ月ずつ１月から１２月までのカレンダー台紙1を６枚印刷して計７枚の１組とし、又はカレンダーの表紙２７と毎月ごとに１月から１２月までのカレンダー台紙1を１２枚印刷して計１３枚の１組とし、上記表紙及び台紙の上部にリング１１を通す左右６個ずつ長方形の孔１２を設け、更に上部中央に半径１ｃｍの半円形１０を打ち抜き、カレンダー台紙1には、上部右側と、下部左側に夫々４５度斜めに２本ずつ切り込み線４、５を設けてハガキ型２３各組の絵２又は写真６を横向き7に挿入可能にし、その内側にＬ型写真６を横向き７に挟み込むことを目的とする２本ずつ切り込み線８、９を設け、又は、上部右側と、下部左側に夫々４５度斜めに２本ずつ切り込み線４、５を設けてハガキ型２３各組の絵２又は写真６を縦向き２５に挿入可能にし、その内側にＬ型写真６を縦向き２５に挟み込むことを目的とする２本ずつ切り込み線８、９を設けことを特徴とするカレンダーとし、このカレンダーにハガキ型２３の絵２とＬ型写真６と組み立て前のリング１１と吊り棒３０をつけて、キットとすることを特徴とするオリジナルカレンダーキット。
【手続補正２】
【補正対象書類名】明細書
【補正対象項目名】全文
【補正方法】変更
【補正の内容】
【考案の詳細な説明】
【技術分野】
【０００１】
本考案は、絵挟み込み式２本切り込み入り型カレンダーに関するものである。
【背景技術】
【０００２】
絵挟み込み式２本切り込み入り型カレンダーの挟み込み絵は、表側は絵であって、裏側は、「ハガキ」であり、その月が終わったら「ハガキ」として使用するこができるものであって、表側の絵の余白部分に思い思いの記事を書き入れることができものあり、その裏側にも表側の記事の続きを書き入れることができものであって、写真の裏側に「ハガキ」として印刷がなされハガキとして使用するこができるものであって、実用に利用されている。
【０００３】
小型の絵と写真は、写真のＬ型の大きさであって、写真の写し出された、薔薇シリーズであったり、菊の花シリーズであったりするので、その住んでいる町の「蔵町シリーズ」、「小江戸シリーズ」、多くのシリーズが生まれ実用に供される。
【０００４】
このように使用されると各企業でそれぞれの企業間に自己の企業製品の販売
合戦が始まり、カレンダーの絵の部分に自己の製品が掲載されようになり、自動車企業なら自己の企業の自動車シリーズに、食品企業なら自己の企業の料理シリーズに、自己の製品の宣伝がカレンダーを通じて行われるようになって来た。
【０００５】
しかし、一般に用いられているカレンダーは、毎日めくる日めくりカレンダーであったりして、２ヶ月一枚の６枚つづりであったり、折角６枚つづりのカレンダーに絵が描かれているが、何の利用も無くその月がすぎれば廃棄されて不便である。
【０００６】
この改善策として、Ａ4版で絵はハガキ大であり、表は絵及び写真であるが、裏にはハガキとして使用さられるよう印刷がしてある。その月が過ぎれば、この絵及び写真は、ハガキとして使用される便利なものである。
【先行技術文献】
【特許文献】
【０００７】
月代わりカレンダーにおいて、毎日の日付の剥ぎ取りに従って、例えば外国
語、記号、単語等の事物を容易に習得することを目的とするものである。
月を特定する表示および、各日付を特定する数字表示を設けた月代わりカレンダーを台紙とし、前記台紙上の各日付表示に接近して、ラベルを、シリコンの如き接着剤層を介して、剥離自在に接着する。しかして、前記各ラベルの表面には習得すべき事物を画像、記号ないし単語を以って表示しておく、前記ラベルが接着される台紙部分に、前記画像、記号、単語に対応する事物を文字・文書を以って印刷して成るものである。
カレンダーの日付ラベルは毎日取り去るものであるが、この剥ぎ取りに応じて台紙上の表示が現れて、ラベル上の表示に対する事物の判断を容易にして、これを記憶習得を日々行うことにより学習効果がえられる。  
【特許文献１】実開平５−７６７７０号公報
【０００８】
写真付きカレンダーと写真額の機能を一体化し、カレンダーの使用期間が過ぎても、写真額として使用できるようにし、最初から全ての開口に写真プリントを対応させなくとも、写真額全体のバランスがとれ、装飾性を損なわないようなカレンダー付き写真額を提供する。
【０００９】
カレンダー付き写真額２は左側がカレンダー台紙３、右側がメモ台紙４となっており、カレンダー台紙３にはカレンダーが１年間分印刷され、各月毎のカレンダーは切り抜けるようになっている。カレンダーが印刷された面の反対側には、写真プリントを挿入するためのポケット８が形成され、カレンダーの切り抜き後、ここに写真プリント挿入すると、写真プリントが写真額に飾ったように観察できる。そしてメモ台紙４には、各月毎のカレンダーに対応した位置に、メモ領域１１が設けられている。
【特許文献２】特開平７−５２５８４号公報
【００１０】
任意の複数月の月めくりカレンダーで、且つ連続して昇順する複数月カレンダーが、月が替わる度に、一連の複数月の各月カレンダーが、夫々、１ケ月更新される状態で一覧出来、掲示面に、タテ、ヨコ、斜め等、いずれの方向にも自由に展開出来る多様なカレンダーを提供できる。
【００１１】
両脇上部に穴をあけたカレンダー用紙一式（１２ケ月分)と、該当カレンダー用紙と大略同一サイズの台紙でカレンダー用紙が掛かるようにフックを取付けた台紙・複数枚とを組合せることを特徴とする。
【特許文献３】特開２０００−３３７８４号公報
【００１２】
カレンダー上に記入した前月分の予定や行事を写し替えないで使用できるカレンダー。３ヶ月分掲示したカレンダーであって、各月間に折り線を設け、月が過ぎたときに３ヶ月目のカレンダーを表面の上段に残して繰り上げ表面に残すため、前月に記入した予定や行事を写し替える手間が省け、便利に使用できる。
【特許文献４】実用新案登録第３０９０１９２号公報
【００１３】
簡素な構成にしたがって、誕生日や年間スケジュールや各種の記念日など
の個人情報が印刷されたカレンダーを作成することのできるカレンダーキット。所定期間に亘るカレンダーの基本情報が記録された記録媒体（１）と、記録媒体に記録された基本情報と入力された個人情報とを印刷するためのカレンダーシート（２）とを備えている。カレンダーシートには、所定の事前印刷（2ａ）がなされている。たとえば壁掛け型のカレンダーを構成するために、印刷された複数のカレンダーシートの一端を束ねて壁に掛けるための壁掛け具（3）をさらに備えている。
【特許文献５】特開２００３−２８５５７２号公報
【考案の概要】
【考案が解決しようとする課題】
【００１４】
解決しようとする問題点は、カレンダー台紙に絵又は写真を挟み込む部分の２本切り込みを設ける点であるが、この部分にポイント付けるためにカラーを入れ季節感を表現した。
【課題を解決するための手段】
【００１５】
カレンダーの表紙と2ヶ月ずつ１月から１２月までのカレンダー台紙を６枚印刷して計７枚の１組とし、又はカレンダーの表紙と毎月ごとに１月から１２月までのカレンダー台紙を１２枚印刷して計１３枚の１組とし、上記表紙及び台紙の上部にリングを通す左右６個ずつ長方形の孔を設け、更に上部中央に半径１ｃｍの半円形を打ち抜き、カレンダー台紙には、上部右側と、下部左側に夫々４５度斜めに２本ずつ切り込み線を設けてハガキ型各組の絵又は写真を横向きに挿入可能にし、その内側にＬ型写真を横向きに挟み込むことを目的とする２本ずつ切り込み線を設け、又は、上部右側と、下部左側に夫々４５度斜めに２本ずつ切り込み線を設けてハガキ型各組の絵又は写真を縦向きに挿入可能にし、その内側にＬ型写真６を縦向き７に挟み込むことを目的とする２本ずつ切り込み線を設けことを特徴とするカレンダー。
【００１６】
オリジナルカレンダーキットは、カレンダーの表紙と２ヶ月ずつ１月から１２月までのカレンダー台紙を６枚印刷して計７枚の１組とし、又はカレンダーの表紙と毎月ごとに１月から１２月までのカレンダー台紙を１２枚印刷して計１３枚の１組とし、上記表紙及び台紙の上部にリングを通す左右６個ずつ長方形の孔を設け，更に上部中央に半径１ｃｍの半円形を打ち抜き、カレンダー台紙には、上部右側と、下部左側に夫々４５度斜めに２本ずつ切り込み線を設けてハガキ型各組の絵又は写真を横向きに挿入可能にし、その内側にＬ型写真を横向きに挟み込むことを目的とする２本ずつ切り込み線を設け、又は、上部右側と、下部左側に夫々４５度斜めに２本ずつ切り込み線を設けてハガキ型各組の絵又は写真を縦向きに挿入可能にし、その内側にＬ型写真を縦向きに挟み込むことを目的とする２本ずつ切り込み線を設けことを特徴とするカレンダーとし、このカレンダーにハガキ型の絵とＬ型写真と組み立て前のリングと吊り棒をつけて、キットとすることを特徴とするオリジナルカレンダーキット。
【考案の効果】
【００１７】
本考案のカレンダーは、絵又は写真を挟み込む切り込みを設けたことにより、その月が経過した後に絵又は写真を取り外して、絵ハガキ又は趣味の写真として使用するこという利点がある。
【図面の簡単な説明】
【００１８】
【図１】図１のカレンダーの絵が横型で挟み込む場合であって、大きい方は「ハガキ」大であり、小さい方が写真のＬ型であって、実施方法を示した説明図である。
【図２】図2は表側であって、絵の大きい方は「ハガキ」大である。
【図３】図３は裏側であって、「ハガキ」と絵の説明の印刷がなされている。
【図４】図４はＬ型写真であって、キュウイフルーツ栽培の横型写真である。
【図５】図５は、カレンダーの絵が縦型で挟み込む場合であって、大きい方は、「ハガキ」大であり、小さい方がＬ型写真であって、実施方法を示した説明図である。
【図６】は、カレンダーの絵が縦型で挟み込む場合であって、大きい方は、「ハガキ」大であり、小さい方がＬ型写真であって、実施方法を示した説明図である。
【図７】は、図6の裏側であって、その月が終わったら「ハガキ」として使用するものである。
【図８】は、キュウイフルーツ栽培の縦型写真である。
【図９】は、オリジナルカレンダーキットの作成方法の説明についてである。
【図１０】は、オリジナルカレンダーキットの作成するに付いての部品の説明である。
【考案を実施するための形態】
【００１９】
カレンダーの表紙と２ヶ月ずつ１月から１２月までの６枚の印刷を１組とし、上部にリングを通す左右６個の孔をあけるのと同時に絵の及びＬ版の挟み込む切り込みを上右、下左、に各２本ずつ設け、次に、絵又は写真「Ｌ型」を挟み込み、リングと吊り下げ具をつけて、カレンダーを作成する。
【実施例１】
【００２０】
図１は、本考案の構成であるその実施例1は、Ａ４縦型のカレンダー台紙1であって、絵2の「ハガキ」大の大きさのものを横に挟み込むタイプ3であり、上から６．５ｃｍと上から１６．５の所に線を引き、左右末端から３．１ｃｍ内の長方形の上右隅から・下左隅から横・縦１．５ｃｍ・２．０ｃｍの所から４５度の斜線を引き、そこの所に２本の切り込み線４、５を入れて、絵2を挟み込み、趣味のカレンダーとすることができる。
【００２１】
また、写真6のＬ型を横に挟み込むタイプ７であり、上から７．０ｃｍと上から１６．５の所に線を引き、左右末端から４．２ｃｍ内の長方形の上右隅から・下左隅から横・縦１．５ｃｍ・２．０ｃｍの所から４５度の斜線を引き、そこの所に２本の切り込み線８、９を入れて、写真6を挟み込み、趣味のカレンダーとすることができる。
【００２２】
カレンダー台紙1の上端中央に半円１０を抜き、その半円１０中央部左右にリング１１を差し込む６つの長方形の孔１２を設け、１枚に２ヶ月分掲載の分は１年間で６枚綴りとなり、１枚に各月毎の分掲載の分は１年間で12枚綴りとなるものである。
【００２３】
最上段の点線で囲まれた長方形内には、絵のタイトル１３を書き、中間の点線で囲まれた長方形内には絵の場所と説明書１４き、最下段の点線で囲まれた長方形内には、通常は、カレンダーの提供する会社名１５等を書くか、商品の宣伝文句を掲載するものである。
【００２４】
２ヶ月１枚の掲載ものについては各月の最上段真ん中にその月を数字１６で表す、左側にその西暦１７、月の右側にその月を英語１８で表す。その下の最上段は曜日１９を表示し、日曜日２０と祭日は赤色で表示し、土曜日２１は青で表示し、各平日２２は黒で表示する。
【００２５】
図２の絵２の建物は、もと『八百金』の名で知られた荒物・麻芋問屋田村家の店舗≪明治３７年（１９０４年）上棟≫住居（母屋）、付属屋、土蔵群でした。図2の裏は図３で、「ハガキ」２３となり、表の絵に関するものであり、表の絵は、蔵の街シリーズであるがこの他のシリーズは、小江戸シリーズ、さくらの木シリーズ、柿の実の景色シリーズ等数多くである。
【００２６】
図３は、その月が経過した後不要となり、普通は、廃棄されるものである。図２の裏が「ハガキ」２３となり、表の余白の部分に記事を書いて相手に出すという使用方法があり便利で、相手も喜ぶし、自分も満足である。
【００２７】
図４は、写真でキュウイフルーツ栽培の横型写真であり、Ｌ型で図2の絵よりも小さくて横７に挟み込むがその裏が白紙であり、「ハガキ」２３として使用できない。表の写真は、キュウイフルーツ栽培シリーズ、子供の街で遊ぶシリーズ、こまシリーズ、温泉の景色シリーズ、さくらの木の景色シリーズ、孫シリーズとして楽しむことができる。
【００２８】
図５は、本考案の構成であるその実施例2は、Ａ４縦型のカレンダー台紙1であって、絵２を挟み込むものであり、上から５．0ｃｍと上から１9．８の所に線を引き、左右末端から5．5ｃｍ、右末端から５．４ｃｍ内の長方形の上右隅から・下左隅から横・縦１．５ｃｍ・２．０ｃｍの所から４５度の斜線を引き、そこの所に２本の切り込み線８、９を入れて、絵２を挟み込み、趣味のカレンダーとすることができる。
【００２９】
図6の表の絵２は、とちぎ秋まつり山車に静御前（倭町）江戸・明治時代に作られた山車が華やかに市内を練り歩く「とちぎ秋つまり」（１１月中旬）絵で、縦に差し込むタイプ２４大きさは大きく裏が「ハガキ」２３となり、表の縦絵２５に関するものであり、表の絵２は、とちぎ秋まつりシリーズであるが、この他に、蔵の街シリーズ、小江戸シリーズ、さくらの木シリーズ、柿の実の景色シリーズで多くある。
【００３０】
図7の図は、図6の絵２５の裏側の図でその月が経過した後不要となり、普通は、廃棄されるものである。その裏が「ハガキ」２３となり、表の余白の部分に記事を書いて相手に出すという使用方法があり便利で、相手も喜ぶし、自分も満足するものである。
【００３１】
図8の写真６は、キュウイフルーツ栽培の縦型写真であり、Ｌ型写真６で絵よりも小さくて縦に挟み込むタイプ２５で、その裏が白紙であり、「ハガキ」２３として使用できない。表の写真6は、キュウイフルーツ栽培シリーズ、子供の街で遊ぶシリーズ、こまシリーズ、温泉の景色シリーズ、さくらの木の景色シリーズ、孫シリーズとして楽しむことができる。
【００３２】
図9は、オリジナルカレンダーキット２６の作り方である。ポストカードサイズのあなたの作品が自分でカレンダーを作れるということである。
オリジナルカレンダーキットの作り方は、まず、カレンダー表紙２７、２ヶ月毎の６枚の台紙1、計７枚の台紙を用意し、カレンダーの印刷してある台紙1を６枚は、絵及び写真を挟み込むよう切り込みを設け、更に上部中央に半径１ｃｍの半円形を打ち抜き、その左右にリングを挿入できるように左右に６個ずつの孔をも受けて成る台紙を用意し、プラチック製品のリング１１と吊し棒３０とを１組として販売することかできるものである。
【００３３】
この製品を１組買ったら、カレンダーの台紙1は、自分のＡ４版あるのでパソコンおもって、表紙２７及び絵2・写真6のタイトルなどを印刷器で作成可能なものである。絵2にするか、写真6にするかを選び絵２及び写真タイトル１３を考えて印刷機で印刷して表紙を作り、タイトルに合わせて、例えば、絵2の場合であったら６枚を作り、写真６の場合であったら６枚を写し作る。
【００３４】
このようにして作品ができたら、カレンダー台紙1に作品を挟み込んで表紙２７と１月から12月まで揃えて左側の孔１２にリング１１を通し、リング１１を止めて下さい。そうしてリング１１を左側に吊し棒３０を通して右側の孔にリングを通し吊し棒３０と一緒にリング１１を止めて下さい。これでオリジナルカレンダーの完成です。
【００３５】
図１０は、本案のカレンダーのリング１１の（イ）は正面図であり、（ロ）は平面図であって、（ハ）の実線は、リング１１の側面図であり、点線はリングの真ん中から折り曲げて、リングのストッパー２８を挿入孔２９に入れて止めた状態で、上部は、吊り棒３０を通した状況を示し、下部は、カレンダー台紙1を吊り下げた一部を示し（ニ）吊し棒３０の正面図である。
【００３６】
このようにカレンダーとして飾って置くだけでなく、絵ハガキや写真などをポストカードとして実用的に利用できる「ポストカード付カレンダー」の商品企画をした。
【００３７】
このカレンダーは、カレンダー台紙に切り込みを入れて、横向き又は縦向きにポストカードを挟み込むことができる商品で、個人向けにはキット販売も可能で、企業向けには企業名を入れたりし、オリジナルポストカードを入れＰＲをすることができるカレンダーです。
【産業上の利用可能性】
【００３８】
本案のカレンダーは、どこにも飾れるに、コンパクトなＡ４サイズで仕上げ、月が終わったら絵ハガキとして利用し、製本や吊り下げ部に針金のコイルが多く使われているが当製品は生分解樹脂（グリーンプラマーク認定商品）を使用し商品の安全性をはかったものである。
【符号の説明】
【００３９】
１    カレンダー台紙
２    絵
３    絵を横に差し込むタイプ
４、５    切り込み線  
６  写真
７  Ｌ型を横に差し込むタイプ
８、９  Ｌ型の切り込み線
１０  半円
１１  リング
１２  長方形の孔
１３  絵のタイトル
１４  絵の場所と説明書
１５  会社名
１６  月を数字
１７  西暦
１８  月を英語
１９  曜日
２０  日曜日
２１  土曜日
２２  平日
２３  ハガキ
２４  縦に挟み込むタイプ
２５  Ｌ型を縦に挟み込むタイプ
２６  オリジナルカレンダーキット
２７  カレンダー表紙
２８  ストッパー
２９  挿入孔
【手続補正３】
【補正対象書類名】図面
【補正対象項目名】全図
【補正方法】変更
【補正の内容】
【図１】
0003167468.tif 000013
【図２】
0003167468.tif 000014
【図３】
0003167468.tif 000015
【図４】
0003167468.tif 000016
【図５】
0003167468.tif 000017
【図６】
0003167468.tif 000018
【図７】
0003167468.tif 000019
【図８】
0003167468.tif 000020
【図９】
0003167468.tif 000021
【図１０】
0003167468.tif 000022